(57)【要約】【課題】筐体内の空きスペースを有効活用し、構成部品をそのスペースに配設することで、筐体を小型化すること。【解決手段】筐体１内に弾性的に支持され乾燥用空気の給気口１４および排気口１５を設けた水槽２と、正面側に開口部７を有して水槽２内で回転するドラム４と、ドラム４を回転させるモータ１０と、水槽２の給気口１４および排気口１５に連通接続した風路１６と、圧縮機１８、放熱器１９、吸熱器２１を内部に配設したケース２３と、風路１６の乾燥用空気を送風する送風機２４と、を備え、送風機は２４、吸い込み側が正面に向くように水槽２の背面側に設けられ、ケース２３は、水槽２の下方で、かつ、正面寄りに設けられ、乾燥用空気は、ケース２３の背面側から供給され、背面側から排気される。【選択図】図１
2014140442.tif 000002
【特許請求の範囲】
【請求項１】
筐体内に弾性的に支持され乾燥用空気の給気口および排気口を設けた水槽と、
正面側に開口部を有して前記水槽内で回転するドラムと、
前記ドラムを回転させるモータと、
前記水槽の給気口および排気口に連通接続した風路と、
圧縮機、放熱器、吸熱器を内部に配設したヒートポンプユニットと、
前記風路の乾燥用空気を送風する送風機と、を備え、
前記送風機は、吸い込み側が正面に向くように前記水槽の背面側に設けられ、
前記ヒートポンプユニットは、前記水槽の下方で、かつ、前記筐体の正面寄りに設けられ、
乾燥用空気は、前記ヒートポンプユニットの背面側から供給され、背面側から排気される洗濯乾燥機。
【請求項２】
前記水槽および前記ドラムは、正面側が背面側よりも上方となるよう傾斜して構成された請求項１に記載の洗濯乾燥機。
【請求項３】
前記圧縮機は、前記筐体の側面よりに配置された請求項１または２に記載の洗濯乾燥機。
【請求項４】
前記ヒートポンプユニットは、正面側から取出し可能とした請求項１または２に記載の洗濯乾燥機。
【請求項５】
前記風路内に、乾燥用空気中の糸くずを捕集する乾燥フィルタを前記筐体の上方に設けた請求項１〜４のいずれか１項に記載の洗濯乾燥機。
【請求項６】
前記ヒートポンプユニットは、正面視して左右方向に前記放熱器および前記吸熱器を配設した請求項１〜５のいずれか１項に記載の洗濯乾燥機。
【発明の詳細な説明】
【技術分野】
【０００１】
本発明は、衣類等の乾燥を行う熱源にヒートポンプ装置を用いる乾燥ユニットあるいは前記乾燥ユニットを組込み、衣類等の被乾燥物を所定空間内へ収納し、その空間の乾燥を行う乾燥装置、さらには衣類等の洗濯機能を備えた洗濯乾燥機に関するものである。
【背景技術】
【０００２】
従来、この種の洗濯乾燥機は、乾燥装置をヒートポンプ装置で構成したものが考えられている（例えば、特許文献１参照）。
【０００３】
図７は、特許文献１に記載された従来の洗濯乾燥機を示すものである。図７に示すように、水槽５１内にドラム５２が回転可能に設けられ、水槽５１の外周下部に取り付けられたモータ５３によりベルト５４を介してドラム５２を回転させる。乾燥装置を構成するヒートポンプ装置の圧縮機５５、蒸発器５６、凝縮器５７は、冷媒が循環するように管路で連結されて水槽５１の下方に配設されている。蒸発器５６と凝縮器５７は、風路５８内に配設されている。
【０００４】
ドラム５２内で衣類と接触した湿った乾燥用空気は、送風ファン５４により排気風路６０を通って蒸発器５６で冷却除湿された後、凝縮器５７で加熱される。乾いた高温の乾燥用空気は、給気風路６１を通ってドラム５２内へ導入されて循環し、ドラム５２内の衣類等を乾燥させるようにしたものである。
【先行技術文献】
【特許文献】
【０００５】
【特許文献１】特開２００９−２７３４８９号公報
【発明の概要】
【発明が解決しようとする課題】
【０００６】
しかしながら、ヒートポンプ装置を設けた洗濯乾燥機は、上述したように、ヒートポンプ装置と、風を流すための風路等を必要とし、ヒータ式の衣類乾燥機あるいは洗濯乾燥機と比較して構成部品が多く、実装を可能とするためには、筐体内の空きスペースを有効に利用し、これら構成部品をコンパクトに収納しなければならないという課題を有していた。また、水槽５１の配置される位置が比較的高い位置にあるために、ドラム５２の回転時に振動が大きくなるという課題を有していた。
【０００７】
本発明は、前記従来の課題を解決するもので、筐体内の空きスペースを有効活用し、構成部品をそのスペースに配設することで、筐体を小型化し、なおかつ水槽の重心位置を低くしてドラムの高速回転時の振動を低減することができる洗濯乾燥機を提供することを目的とする。
【課題を解決するための手段】
【０００８】
前記従来の課題を解決するために、本発明の洗濯乾燥機は、筐筐体内に弾性的に支持され乾燥用空気の給気口および排気口を設けた水槽と、正面側に開口部を有して前記水槽内で回転するドラムと、前記ドラムを回転させるモータと、前記水槽の給気口および排気口に連通接続した風路と、圧縮機、放熱器、吸熱器を内部に配設したヒートポンプユニットと、前記風路の乾燥用空気を送風する送風機と、を備え、前記送風機は、吸い込み側が正面に向くように前記水槽の背面側に設けられ、前記ヒートポンプユニットは、前記水槽の下方で、かつ、前記筐体の正面寄りに設けられ、乾燥用空気は、前記ヒートポンプユニッ
トの背面側から供給され、背面側から排気されるものである。
【０００９】
これにより、筐体の高さおよび奥行きを小型化し、なおかつ水槽の重心位置を低くしてドラムの高速回転時の振動を低減することができる。
【発明の効果】
【００１０】
本発明の洗濯乾燥機は、筐体を小型化することができるため、洗濯機を設置するスペースに柔軟に対応できる。
【図面の簡単な説明】
【００１１】
【図１】本発明の実施の形態１の洗濯乾燥機の側方から見た要部断面図
【図２】同洗濯乾燥機の前方から見た要部断面図
【図３】同洗濯乾燥機の後方から見た要部断面図
【図４】同洗濯乾燥機の上方から見た要部断面図
【図５】同洗濯乾燥機のヒートポンプ装置のシステム概略図
【図６】同洗濯乾燥機のヒートポンプ装置の取外し時の作用図
【図７】従来の洗濯乾燥機の構成図
【発明を実施するための形態】
【００１２】
本発明は、筐体内に弾性的に支持され乾燥用空気の給気口および排気口を設けた水槽と、正面側に開口部を有して前記水槽内で回転するドラムと、前記ドラムを回転させるモータと、前記水槽の給気口および排気口に連通接続した風路と、圧縮機、放熱器、吸熱器を内部に配設したヒートポンプユニットと、前記風路の乾燥用空気を送風する送風機と、を備え、前記送風機は、吸い込み側が正面に向くように前記水槽の背面側に設けられ、前記ヒートポンプユニットは、前記水槽の下方で、かつ、前記筐体の正面寄りに設けられ、乾燥用空気は、前記ヒートポンプユニットの背面側から供給され、背面側から排気されるものである。
【００１３】
これにより、ヒートポンプユニットを水槽の下方でコンパクトに構成して筐体の高さおよび奥行きを小型化することができ、洗濯機設置に関しては設置スペースに柔軟に対応することができる。なおかつ水槽の重心位置を低くしてドラムの高速回転時の振動を低減することができる。
【００１４】
また、送風機の吸い込み側が正面に向くように構成されるので、送風機の直径が大きい場合にも、水槽と筐体背面側との隙間に配置することができる。よって、直径の大きい送風機をヒートポンプ装置の後方にコンパクトに収容することができるとともに、直径の大きい大風量送風機による高効率乾燥を実現することができる。
【００１５】
上記構成において、前記水槽および前記ドラムは、正面側が背面側よりも上方となるよう傾斜して構成されてもよい。
【００１６】
これにより、筐体内の下方は正面側の方が、スペースができるので、高さを必要とするヒートポンプユニットを正面側に配設して筐体の高さを低くすることができる。
【００１７】
上記構成において、前記圧縮機は、前記筐体の側面よりに配置されてもよい。
【００１８】
水槽は円筒形状であるので、側面側は中心側よりもスペースがあるので、高さのある圧縮機をとくに側面側に配設することにより、筐体の高さを低くすることができる。
【００１９】
上記構成において、前記ヒートポンプユニットは、正面側から取出し可能としてもよい
。
【００２０】
これにより、万一ヒートポンプユニットに不具合があった場合には、筐体を設置場所から移動させることなく、ユニットのみを取り出して修理、点検をすることができ、作業性のよい洗濯乾燥機を提供できる。
【００２１】
上記構成において、前記風路内に、乾燥用空気中の糸くずを捕集する乾燥フィルタを前記筐体の上方に設けてもよい。
【００２２】
これにより、乾燥フィルタを筐体の上方に設けて使用者のメンテナンスが容易となるとともに、乾燥フィルタを上方に設けた構成においても、筐体の小型化を可能とした洗濯乾燥機を提供することができる。
【００２３】
上記構成において、前記ヒートポンプユニットは、正面視して左右方向に前記放熱器および前記吸熱器を配設してもよい。
【００２４】
これにより、背面側から流入し背面側から流出するヒートポンプユニットの構成において、風路抵抗を抑えることができる。よって風量の低下を防いで乾燥性能を維持することができる。
【００２５】
以下、本発明の実施の形態について、図面を参照しながら説明する。なお、この実施の形態によって本発明が限定されるものではない。
【００２６】
（実施の形態１）
図１は、本発明の第１の実施の形態における洗濯乾燥機の側方から見た要部断面図、図２は、同洗濯乾燥機の前方から見た要部断面図、図３は、同洗濯乾燥機の後方から見た要部断面図、図４は、同洗濯乾燥機の上方から見た要部断面図、図５は、同洗濯乾燥機のヒートポンプ装置のシステム概略図、図６（ａ）〜（ｃ）は、同洗濯乾燥機のヒートポンプ装置の取外し時の作用図である。
【００２７】
図１〜図６において、洗濯乾燥機の外郭を形成する筐体１内に洗濯水を貯める略円筒形状の水槽２を設けている。水槽２内には、前後方向に延びる回転軸３を中心に回転自在に設けられた有底円筒状のドラム４を設けている。水槽２は、左右一対のダンパー５により下方から弾性支持されるとともに、左右一対のばね６により吊下げ、水槽２の前面に設けた開口部７側が上位となるように、回転軸３を前上がりに傾斜させている。
【００２８】
水槽２の後部外面には、回転軸３を回転支持する軸受８とプーリ９を設け、水槽２の外周下部に固着したモータ１０の駆動力を、ベルト１１を介してドラム４に伝達し回転させる。モータ１０は、その回転軸１０ａがドラム４の回転軸３と平行に水槽２の後部寄りに取り付けてあり、図３に示すように、前方から見てドラム４の回転軸３を通る鉛直線イの近傍に位置し、水槽２の外周斜め下方に設けて筐体１の後面１ａ側の内部の下方に配設している。なお、本実施の形態において、モータ１０は、ベルト駆動式でなくともよく、水槽２の背面側に設けられた直接駆動型であってもよい。
【００２９】
ドラム４の周側面に多数の透孔１２が設けてあり、この透孔１２を通して水槽２内と連通している。また、ドラム４の周側面に内方へ突出するバッフル１３を複数設けている。水槽２の後面に乾燥用空気を導入する給気口１４を設け、水槽２の上方前部に乾燥用空気を排出する排気口１５を設けている。給気口１４および排気口１５に風路１６を連通接続している。
【００３０】
ヒートポンプ装置１７は、圧縮機１８と、この圧縮機１８で圧縮された冷媒の熱を放熱する凝縮器１９（放熱器）と、高圧の冷媒の圧力を減圧するための絞り弁や毛細管等からなる絞り手段２０と、減圧されて低圧となった冷媒が周囲から熱を奪う蒸発器２１（吸熱器）とを冷媒が循環するように管路２２で連結されており、冷媒は図５の矢印Ａの方向に流れて循環し、ヒートポンプサイクルを実現する。風路１６内には、ヒートポンプ装置１７の蒸発器２１および凝縮器１９を配設している。
【００３１】
ヒートポンプ装置１７の圧縮機１８と管路２２で連結された凝縮器１９と絞り手段２０および蒸発器２１は、風路１６を形成するケース２３（ヒートポンプユニット）内に格納されている。ケース２３には、背面側から乾燥用空気が流入する流入口２３ａと、蒸発器２１および凝縮器１９を通過した乾燥用空気が背面側へ流出する流出口２３ｂを設けている。
【００３２】
流入口２３ａは、風路１６を構成する排気ダクト１６ａと連通接続し、排気口１５と繋がっている。また、流出口２３ｂは、風路１６を構成するダクト１６ｂを介して送風機２４と着脱自在に連通接続している。
【００３３】
ヒートポンプ装置１７は、図２に示すように、筐体１の前面１ｂである前方（正面側）から見てほぼ中央に位置している。また、前方から見て、ケース２３内の凝縮器１９および蒸発器２１は左右方向に配置されている。よって、蒸発器２１から凝縮器１９を空気が通過するときは、前方からみて左右方向に流れる。よって、図４に示すように、乾燥用空気は、上から見てＵ字形状に蛇行した風路を流れる。
【００３４】
送風機２４は、筐体１の右壁１ｄ側に配設するとともに、ヒートポンプ装置１７の後方で、かつ、送風ファン２４ａの回転軸２４ｂ方向をヒートポンプ装置１７に向けて設置し、送風ファン２４ａの直径方向の上部２４ｃが水槽２の最下部２ａより上方（Ｈ）に位置するように構成している。さらに詳細には、送風機２４の吸い込み側が正面に向くように配置される。
【００３５】
送風機２４は、風路１６を構成する給気ダクト１６ｃと連通接続し、給気口１４と繋がっている。水槽２の後面でプーリ９の外周縁に沿って円弧状に形成した給気ダクト１６ｃを通して給気口１４から水槽２内に乾燥用空気を送風する。
【００３６】
ヒートポンプ装置１７は、ダクト１６ｂを介して送風機２４と着脱自在に連通接続し、筐体１内に設置したヒートポンプ装置１７を筐体１の前面１ｂから取り出し可能に構成している。また、ヒートポンプ装置１７は、ダクト１６ａ１を介して排気ダクト１６ａと着脱自在に連通接続し、筐体１内に設置したヒートポンプ装置１７を筐体１の前面１ｂから取り出し可能に構成している。
【００３７】
排気口１５から排気ダクト１６ａに流れる乾燥用空気に含まれる糸屑等のリントを捕集する乾燥フィルタ２５を設けている。乾燥フィルタ２５は、筐体１内の上部に着脱自在に配設され、上面１ｅ側へ取り出し可能に設けている。乾燥フィルタ２５は、背面側に位置する排気ダクト１６ａと接続している。
【００３８】
水槽２内の洗濯水は、底部に設けた排水口２６に連通接続した排水路２７を経て機外へ排出される。排水路２７の途中には、洗濯水から異物を回収する排水フィルタ２８を設けている。排水フィルタ２８は、モータ１０の前方に位置し、筐体１内の前部に着脱自在に設けて前面１ｂ側へ取り出し可能に設けている。
【００３９】
水槽２の開口部７を開閉する扉２９を筐体１の前面１ｂに設け、扉２９の下方にヒート
ポンプ装置１７を前面側から覆うカバー３０をねじ３１で取外し可能に取着している。
【００４０】
ヒートポンプ装置１７のケース２３の底部には、蒸発器２１で結露した除湿水を排出する排水ポンプ３３を設けている。排水ポンプ３３に排水路２７と繋がった排水管３４を連通接続し、排水管３４を通して排水路２７から機外へ排出される。
【００４１】
筐体１の下部を台枠３５で支持し、水槽２を下方から弾性支持するダンパー５の下端を台枠３５で支持している。また、ヒートポンプ装置１７のケース２３と、このケース２３とダクト１６ｂを介して接続した送風機２４も台枠３５上に設置している。
【００４２】
制御手段３６は、ヒートポンプ装置１７の圧縮機１８、ドラム４を回転駆動するモータ１０、乾燥用空気を送風する送風機２４等を制御し、洗濯、すすぎ、脱水、乾燥の各工程を逐次制御する。
【００４３】
以上のように構成された洗濯乾燥機について、以下その動作、作用を説明する。まず、洗い工程の手順を示す。最初に扉２９を開放し、開口部７からドラム４内に衣類等の洗濯物を投入した後、扉２９を閉じ、操作ボタン（図示せず）を押して所望の運転プログラムを選択して運転を開始させる。
【００４４】
制御手段３６は、扉２９が閉じられていることを確認した後、モータ１０を駆動させ、回転数などの負荷情報から投入された衣類の量を判定する。その後、給水弁（図示せず）を開放して水槽２に水を貯め始める。衣類の量に応じてあらかじめ設定された水量が給水されると給水を停止し、モータ１０を正転、反転を繰り返すなど、所定のプログラムにしたがってドラム４を回転させる。
【００４５】
ドラム４内の衣類ロは、バッフル１３によって回転方向へ持ち上げられて、ドラム４内の上方から落下し、叩き洗いの作用で汚れを落とし、所定の時間が経過すると洗い工程を終了する。
【００４６】
洗い工程に続いて、次に、すすぎ工程を実行する。すすぎ工程では、排水、給水、モータ１０駆動というすすぎ作業を行う。水槽２に水を貯めた状態でモータ１０を駆動させ、衣類に付着している洗剤成分や汚れ成分を汚れていない水の中へと移動させて汚れを落とすすすぎを実行し、所定の時間が経過すると１回のすすぎ作業を終了し、これを２回繰り返した後、水槽２内の水を排出してすすぎ工程を終了する。
【００４７】
すすぎ工程に続いて、次に、脱水工程を実行する。脱水工程では、モータ１０を駆動させてドラム４を高速回転（例えば１１００ｒｐｍ）させる。このとき、回転数が増加していくにつれて、衣類に付加される遠心力が強まっていくため、衣類はドラム４の内周面に張り付いていく。衣類に含まれる水分は遠心力によりドラム４の透孔１２から水槽２内へ移動し、脱水された水分は、排水路２７を経て機外へ排出される。
【００４８】
次に、乾燥工程について説明する。洗い、すすぎ、脱水の各工程を実行した後、衣類の乾燥を実行する。乾燥運転を開始すると、モータ１０が回転し、ドラム４および送風機２４が回転して乾燥用空気の流れ（矢印Ｂ）が生じる。乾燥用空気は、ドラム４内の衣類ロから水分を奪って多湿となった後、乾燥フィルタ２５を通過し、排気ダクト１６ａを通ってヒートポンプ装置１７の蒸発器２１へ導かれる。ドラム４は、モータ１０によりベルト１１を介して回転駆動され、衣類ロはドラム４内で撹拌される。
【００４９】
ヒートポンプ装置１７の圧縮機１８を作動させると、冷媒が圧縮され、この圧力により凝縮器１９、絞り手段２０、蒸発器２１を循環する。凝縮器１９では高圧状態で冷媒の熱
が放出され、蒸発器２１では、絞り手段２０で減圧されて低圧状態となり冷媒へ熱が吸収される。このとき送風機２４によって風路１６を流れる乾燥用空気を凝縮器１９の放熱によって加熱する。
【００５０】
送風機２４により、給気ダクト１６ｃを通り、給気口１４からドラム４内に送風された温風は、衣類ロの間を通るときに水分を奪って多湿となった後、排気口１５から乾燥フィルタ２５を通過してリント等の異物が除去され、排気ダクト１６ａを通ってヒートポンプ装置１７の蒸発器２１へ導かれる。この多湿の乾燥用空気は、蒸発器２１を通過する際に顕熱と潜熱が奪われて除湿され、乾いた空気と除湿水に分離される。
【００５１】
この乾いた空気は、凝縮器１９で再び加熱され、温風となって送風機２４により再びドラム４内へ送風される。一方、蒸発器２１で結露した除湿水は、排水ポンプ３３により排水管３４から排水路２７を通して機外へ排出する。
【００５２】
衣類ロから水分を奪って排気口１５から排気される湿った空気は、水槽２の前方に位置し筐体１の右壁１ｃに沿って水槽２の上部から下方に向かって延びる排気ダクト１６ａを通り、筐体１内の前面１ｂ近傍に位置するケース２３へ背面側に設けられた流入口２３ａからケース２３内に流入する。
【００５３】
ケース２３内に流入した乾燥用空気は、筐体１内の右壁１ｄ側から左壁１ｃ側に向かって流れ、蒸発器２１および凝縮器１９を通過する。ケース２３の流出口２３ｂから排出された乾燥用空気は、筐体１内の後面１ａ近傍に設けた送風機２４に到達し、水槽２の後方を上方へ延びる給気ダクト１６ｃを通り、給気口１４から水槽２内に導入される。
【００５４】
すなわち、排気口１５から排気された乾燥用空気は、ドラム４内と、水槽２の下方に設けたヒートポンプ装置１７を、筐体１内の後面１ａ側で循環する。
【００５５】
一方、ドラム４を回転駆動するモータ１０は、筐体１内の左壁１ｄ側で水槽２の下部に位置している。したがって、ドラム４の回転軸３を通る鉛直線イ近傍にモータ１０を配設し、送風機２４を鉛直線イの左側に隔てて配設し、なおかつヒートポンプ装置１７をモータ１０および送風機２４と重ならない位置（前側下部）に配設することにより、水槽２の位置を筐体１内で上方へ上げる必要なく、水槽２の下部の空間を有効に活用することができる。
【００５６】
したがって、ドラム４を高速で回転させる脱水運転を実行する洗濯乾燥機においては、ドラム４内で洗濯物に偏りが生じた場合に発生する大きな振動を低減することができるとともに、水槽２の位置を下方へ下げることで、筐体１の高さを低くすることができ、小型化が可能になる。
【００５７】
また、重量の重いモータ１０と送風機２４、ヒートポンプ装置１７の圧縮機１８の位置が、筐体１内の下部で前後方向に配置されることで、重量バランスをよくすることができ、設置時と運転時の安定性を高めることができる。
【００５８】
また、送風機２４をヒートポンプ装置１７の後方に配設し、送風ファン２４ａの回転軸２４ｂ方向をヒートポンプ装置１７に向けて設置している。これにより、前上がりに傾斜した水槽２の後部と、筐体１の後面１ａとの間に形成される下方空間に、送風ファン２４ａの直径方向の上部が水槽２の最下部２ａより上方に位置するようにすることで、筐体１内の限られた空間に、大径の送風機２４をコンパクトに設置することができ、送風能力を高めることができる。
【００５９】
また、図６に示すように、ヒートポンプ装置１７は、筐体１の前面側から取り外すことができる。筐体１の前面１ｂにカバー３０が取り付けられている。
【００６０】
次に、（ｃ）のように、台枠３５上に設置されているケース２３を上方へ持ち上げた状態で、前方へ引き出すと、ダクト１６ｂ、ダクト１６ｃに挿入されていたケース２３が離脱し、ダクト１６ｂは、送風機２４に保持された状態、ダクト１６ｃは台枠３５に保持された状態でヒートポンプ装置１７のケース２３を取り出すことができる。これにより、筐体１を設置場所から移動させることなく、ヒートポンプ装置１７を取り出すことができ、狭い場所でのメンテナンス作業を容易に行うことができる。
【００６１】
以上のように、本実施の形態においては、筐体１内に弾性的に支持され乾燥用空気の給気口１４および排気口１５を設けた水槽２と、正面側に開口部７を有して水槽２内で回転するドラム４と、ドラム４を回転させるモータ１０と、水槽２の給気口１４および排気口１５に連通接続した風路１６と、圧縮機１８、凝縮器１９、蒸発器２１を内部に配設したケース２３と、風路１６の乾燥用空気を送風する送風機２４と、を備え、送風機は２４、吸い込み側が正面に向くように水槽２の背面側に設けられ、ケース２３は、水槽２の下方で、かつ、正面寄りに設けられ、乾燥用空気は、ケース２３の背面側から供給され、背面側から排気されるものである。
【００６２】
これにより、ヒートポンプユニットを水槽の下方でコンパクトに構成して筐体の高さおよび奥行きを小型化することができ、洗濯機設置に関しては設置スペースに柔軟に対応することができる。なおかつ水槽の重心位置を低くしてドラムの高速回転時の振動を低減することができる。
【００６３】
また、水槽２およびドラムは４、正面側が背面側よりも上方となるよう傾斜して構成されてもよい。
【００６４】
これにより、筐体１内の下方は正面側の方が、スペースができるので、高さを必要とするヒートポンプユニットを正面側に配設して筐体の高さを低くすることができる。
【００６５】
上記構成において、圧縮機１８は、筐体１の側面よりに配置されてもよい。
【００６６】
水槽２は円筒形状であるので、側面側は中心側よりもスペースがあるので、高さのある圧縮機１８をとくに側面側に配設することにより、筐体１の高さを低くすることができる。
【００６７】
上記構成において、ヒートポンプユニットは、正面側から取出し可能としてもよい。
【００６８】
これにより、万一ヒートポンプユニットに不具合があった場合には、筐体１を設置場所から移動させることなく、ユニットのみを取り出して修理、点検をすることができ、作業性のよい洗濯乾燥機を提供できる。
【００６９】
上記構成において、風路１６内に、乾燥用空気中の糸くずを捕集する乾燥フィルタ２５を筐体１の上方に設けてもよい。
【００７０】
これにより、乾燥フィルタ２５を筐体の上方に設けて使用者のメンテナンスが容易となるとともに、乾燥フィルタ２５を上方に設けた構成においても、筐体１の小型化を可能とした洗濯乾燥機を提供することができる。
【００７１】
上記構成において、ヒートポンプユニットは、正面視して左右方向に凝縮器１９および
蒸発器２１を配設してもよい。
【００７２】
これにより、背面側から流入し背面側から流出するヒートポンプユニットの構成において、風路抵抗を抑えることができる。よって風量の低下を防いで乾燥性能を維持することができる。
【００７３】
なお、本実施の形態において、ケース２３は正面寄りに配置することとしたが、モータ１０が直接駆動型である場合には、正面寄りである必要はなく、中心に位置したり背面寄りであってもよい。
【産業上の利用可能性】
【００７４】
以上のように、本発明にかかる洗濯乾燥機は、筐体の高さおよび奥行きを低くして小型化することができるとともに、ドラムの高速回転時の振動を低減することができるので、洗濯乾燥機として有用である。
【符号の説明】
【００７５】
１  筐体
２  水槽
３  回転軸
４  ドラム
１０  モータ
１４  給気口
１５  排気口
１６  風路
１６ａ  排気ダクト（風路）
１６ｂ  ダクト（風路）
１６ｃ  給気ダクト（風路）
１７  ヒートポンプ装置
１８  圧縮機
１９  凝縮器（放熱器）
２１  蒸発器（吸熱器）    
２２  管路
２３  ケース（ヒートポンプユニット）
２３ａ  流入口
２３ｂ  流出口
２４  送風機
２８  排水フィルタ
【図１】
2014140442.tif 000003
【図２】
2014140442.tif 000004
【図３】
2014140442.tif 000005
【図４】
2014140442.tif 000006
【図５】
2014140442.tif 000007
【図６】
2014140442.tif 000008
【図７】
2014140442.tif 000009